【手続補正書】
【提出日】平成23年5月10日(2011.5.10)
【手続補正１】
【補正対象書類名】明細書
【補正対象項目名】００１６
【補正方法】変更
【補正の内容】
【００１６】
もし、最大容量に到達している場合には、ステップ２５で、マクロセルカバレッジが利用可能であるか否かを判断する。マクロセルカバレッジが利用可能でない場合には、ステップ２７で、コール拒絶手順が実行される。もし、マクロセルカバレッジが利用可能である場合は、アクセスポイント２２は、ステップ２１で、要求を出したユーザ装置の識別情報を格納する。アクセスポイント２２は次に、ステップ２８でＳＭＳメッセージをユーザ装置２０に送信するか、ステップ２９で音声メッセージを送信して、加入者に、「発呼要求が拒絶されたが、加入者がもし再度発呼要求を出したいと望む場合は、発呼要求がマクロセルにリダイレクトされる」ということを伝える。ユーザ装置２０及びアクセスポイント２２はその後、ステップ３０で、ＲＲＣ接続解除手順を実行することができる。このＲＲＣ接続解除手順によって、ユーザ装置とアクセスポイント２２との接続は切断される。加入者はその後、ユーザ装置上で、リダイレクト手順を選択することができる。リダイレクト手順の中で、加入者は、更なるＲＲＣ接続要求を、アクセスポイント２２に送信する。同時に、アクセスポイントは、ユーザ装置からのＲＲＣ接続要求に応答して、このＲＲＣ要求を出したユーザのユーザ識別情報とステップ２１で格納されたユーザ識別情報とを一致させようと試みる時間帯を開始する。これは、ステップ３２で実行される。ユーザ識別情報が一致した場合には、ＲＲＣ接続要求は拒絶され、「リダイレクト情報」（ＧＳＭセル情報及びＵＭＴＳ周波数情報を含む）がユーザ装置に返信される。これに応答して、ユーザ装置内で動作するソフトウエアが、この発呼を、例えば「リダイレクト情報」の中で規定されたＧＳＭ又はＵＭＴＳ周波数帯を用いて、適切なマクロセルへとリダイレクトする。
【手続補正２】
【補正対象書類名】明細書
【補正対象項目名】００２０
【補正方法】変更
【補正の内容】
【００２０】
図４は、図２又は図３のシステムと共に用いることができる、システムの変形例を示す。ここでは、もしユーザ装置が、認定されている緊急番号（例えば、英国においては９９９番）を用いて緊急電話をかけようとした場合に、ユーザ装置はただちにＲＲＣ通信要求をアクセスポイント２２にセットアップする。ステップ４０では、ＲＲＣ  ＣＯＮＮＥＣＴＩＯＮ  ＲＥＱＵＥＳＴメッセージの中で指定された「ｃａｕｓｅ  ｖａｌｕｅ」を確認することによって、この接続要求が緊急電話のためのものかどうかの判断がなされる。緊急電話のための接続要求でなかったら、ステップ４２で、通常のセットアップ手順に入る。この場合、図２あるいは図３の、アクセスポイントがその最大容量に達しているかどうかを判断する処理を通過する必要がある。もし、この電話が緊急電話の場合には、ステップ２４で、マクロセルカバレッジを利用可能かどうかが判断される。マクロセルカバレッジが利用可能でない場合は、ステップ２６で、通常のコールセットアップ手順に入る。これは、図２及び図３における通常セットアップ手順と同じである。マクロセルカバレッジが利用可能な場合は、この発呼はマクロセルを介して送られることが好ましい。これにより、ＲＲＣ接続拒絶が、関連するマクロセルへのリダイレクト情報と共に、ユーザ装置２０に返信される。ユーザ装置は、これに自動的に応答して、この発呼をマクロセルにリダイレクトするように構成される。これにより、確実に緊急電話を掛けることができる。
【手続補正３】
【補正対象書類名】特許請求の範囲
【補正対象項目名】全文
【補正方法】変更
【補正の内容】
【特許請求の範囲】
【請求項１】
ユーザ装置によりセルラ通信システム内のアクセスポイントに対して行われる通信要求をリダイレクトする方法であって、
前記アクセスポイントは、前記システム内のマクロセルよりも短い通信範囲を有し、
前記方法は、
ユーザ装置からの通信要求を前記アクセスポイントに送信する工程と、
前記アクセスポイントが最大容量に達しているかどうかを判断する工程と、
前記アクセスポイントが容量に達している場合には、通信要求拒絶信号を前記ユーザ装置に送信する工程と、
前記通信要求を、前記アクセスポイントが位置する前記マクロセルへリダイレクトする工程と、を備える方法。
【請求項２】
前記通信要求拒絶信号は、ＳＭＳメッセージを含み、
前記ＳＭＳメッセージに応答して、ユーザが、前記通信を前記マクロセルにリダイレクトするか否かを選択可能である、請求項１に記載の方法。
【請求項３】
前記通信要求が緊急通話のためのものか否かを判断する工程と、
マクロセルカバレッジが現在利用可能か否かを判断する工程と、
前記判断の結果、前記通信要求が緊急通話であり、且つ、マクロセルカバレッジが利用可能な場合には、その発呼をリダイレクトする工程と、を更に備える請求項１に記載の方法。
【請求項４】
前記通信要求拒絶信号は、音声メッセージを含み、該音声メッセージは、ユーザに対して再生され、
前記音声メッセージに応答して、前記ユーザが、前記通信を前記マクロセルにリダイレクトするか否かを選択可能である、請求項１に記載の方法。
【請求項５】
マクロセルカバレッジが利用可能かどうかを判断する工程は、通信要求拒絶を送信する前に実行する、請求項２又は４に記載の方法。
【請求項６】
最大容量に達している場合、接続要求拒絶を受け取ったユーザの識別情報を格納する工程と、
前記接続要求がマクロセルにリダイレクトされるための制限時間を設定する工程と、を備える、先行する請求項のいずれかに記載の方法。
【請求項７】
ユーザ装置によりセルラ通信システム内のアクセスポイントに対して行われる通信要求をリダイレクトするシステムであって、
前記アクセスポイントは、前記システム内のマクロセルよりも短い通信範囲を有し、
前記システムは、
ユーザ装置からの通信要求をアクセスポイントに送信する手段と、
前記アクセスポイントが最大容量に達しているかどうかを判断する手段と、
前記アクセスポイントが最大容量に達している場合、通信要求拒絶信号を前記ユーザ装置に送信する手段と、
前記通信要求を、前記アクセスポイントが位置する前記マクロセルへリダイレクトする手段と、を備えるシステム。
【請求項８】
前記通信要求拒絶信号は、ＳＭＳメッセージを含み、前記ＳＭＳメッセージに応答して、ユーザが、前記通信を前記マクロセルにリダイレクトするか否かを選択可能である、請求項７に記載のシステム。
【請求項９】
前記通信要求が、緊急通話か否かを判断する手段と、
マクロセルカバレッジが利用可能かどうかを判断する手段と、
前記判断の結果、マクロセルカバレッジが利用可能な場合には、その発呼をマクロセルにリダイレクトする手段と、を更に備える、請求項７に記載のシステム。
【請求項１０】
前記通信要求拒絶信号は、音声メッセージを含み、該音声メッセージは前記ユーザに対して再生され、
前記音声メッセージに応答して、前記ユーザが、前記通信を前記マクロセルにリダイレクトするか否かを選択可能である、請求項７に記載のシステム。
【請求項１１】
通信要求拒絶信号を送信する手段の前に、マクロセルカバレッジが利用可能かどうかを判断する手段を含む、請求項８乃至１０に記載のシステム。
【請求項１２】
最大容量に達している場合、接続を拒絶されたユーザの識別情報を格納する手段と、
前記接続要求がマクロセルにリダイレクトされるための制限時間を設定する手段と、を備える、請求項７又は１１のいずれかに記載のシステム。
【請求項１３】
セルラ通信システムのマクロセル内で使用されるアクセスポイントであって、
ユーザ装置から通信要求を受信する手段と、
前記アクセスポイントが最大容量に達しているかどうかを判断する手段と、
最大容量に達している場合、通信要求拒絶信号をユーザに送信する手段と、
前記通信をマクロセルにリダイレクトするために、データを前記ユーザに送信する手段と、を備えるアクセスポイント。
【請求項１４】
セルラ通信デバイスであって、
通信要求をマクロセル内のアクセスポイントに送信する手段と、
通信要求拒絶を受信する手段と、
前記通信要求拒絶に応答して、前記マクロセルに通信をリダイレクトする手段と、を備えるデバイス。
【手続補正４】
【補正対象書類名】図面
【補正対象項目名】図２
【補正方法】変更
【補正の内容】
【図２】
2010528494.tif 000001